(57)【要約】      （修正有）【課題】背面の収納部に収納した物品を着衣者本人によって容易に且つ迅速に取り出すことができる防災用衣類を提供する。【解決手段】着衣者の少なくとも上半身を覆う胴部５０と、胴部５０の上方に形成され、着衣者の頭部が通される上方開口部１と、胴部５０の両側方に形成され、着衣者の両腕が通される側方開口部２と、胴部５０の表面に設けられた収納部３と、を備えた防災用衣類１００であって、夫々の側方開口部２から胴部５０の下端部５０ａにかけて、開閉可能な切れ込み５が形成されている。両側の切れ込みを開いた状態にして上方開口部を中心に防災用衣類を回転させ、背面の収納部を着衣者の胸部（前側）に位置させることにより、収納部から物品を容易に取り出すことができる。【選択図】図１
0003184842.tif 000002
【実用新案登録請求の範囲】
【請求項１】
着衣者の少なくとも上半身を覆う胴部と、
前記胴部の上方に形成され、前記着衣者の頭部が通される上方開口部と、
前記胴部の両側方に形成され、前記着衣者の両腕が通される側方開口部と、
前記胴部の表面に設けられた収納部と、
を備えた防災用衣類であって、
夫々の前記側方開口部から前記胴部の下端部にかけて、開閉可能な切れ込みが形成されている防災用衣類。
【請求項２】
前記切れ込みにファスナーを設けてある請求項１に記載の防災用衣類。
【請求項３】
前記収納部は、前記胴部のうち前記着衣者の背中側の表面に設けられ、前記収納部に物品を収納した場合、前記収納部は前記胴部の表面から外方に膨出するように構成されている請求項１又は２に記載の防災用衣類。
【請求項４】
前記収納部は、正面視で中央側の膨出量が大きくなるように構成されている請求項３に記載の防災用衣類。
【請求項５】
前記収納部は、内部が複数の収納領域に分割されている請求項１〜４の何れか一項に記載の防災用衣類。
【請求項６】
前記収納部は、正面視で両側に開閉可能に構成されている請求項１〜５の何れか一項に記載の防災用衣類。
【考案の詳細な説明】
【技術分野】
【０００１】
本考案は、着衣者の少なくとも上半身を覆う胴部と、胴部の上方に形成され、着衣者の頭部が通される上方開口部と、胴部の両側方に形成され、着衣者の両腕が通される側方開口部と、胴部の表面に設けられた収納部とを備えた防災用衣類に関する。
【背景技術】
【０００２】
近年の大地震等の災害の発生により、人々の防災への意識が高まっている。災害が発生して避難する際に携行するため、非常用食糧やラジオ、懐中電灯、貴重品等をリュックサック等の鞄の中に入れて常備しておくことは、一般的なこととして多くの人が行っている防災対策の１つである。
また、避難時に身体を保護するための防災用ジャケットがあり、災害発生時には、上記リュックサック等の鞄と併せて身に付けられるように常備する人が増加している。
【０００３】
上記のような防災用の鞄やジャケットは、災害が発生したときに必要なものであるが、普段の日常生活では使用する必要がないため、家の中の隅の方や、タンスの中にしまわれてしまうことが多いようである。そのため、災害が発生して必要になったとき、上記の鞄やジャケットをすぐに取り出すことができず、避難するまでに時間がかかってしまう場合や、どこにしまっているのかを忘れてしまい見つけることできず、貴重品等何も持ち出すことができない場合があった。
【０００４】
従来、防災用の鞄（特に、リュックサック）とジャケットとを一体とした衣服があった（例えば、特許文献１）。特許文献１の防災用のジャケットは、着衣者の背中側にリュックサックが設けられており、この中に非常用食糧や貴重品等を予め収納しておけば、災害が発生して避難する際、当該衣服を着用することにより、必要な物品を一緒に携行できるため、わざわざ鞄等を持つことがなく、避難行動が容易になるとされている。
【先行技術文献】
【特許文献】
【０００５】
【特許文献１】登録実用新案第３０１４９５０号公報
【考案の概要】
【考案が解決しようとする課題】
【０００６】
特許文献１では、防災用のジャケットにリュックサックが付加されているため、別途防災用の鞄を携行しなくても、災害発生時に当該ジャケットを着用するだけで避難するための準備が整う。しかし、避難している最中に、リュックサックの中に収納した物品を取り出したい場合、手を後ろに回して取り出すことが難しいため、着衣者本人の代わりに他人に取り出してもらうか、一旦ジャケットを脱いでから物品を取り出す必要がある。災害発生時は一刻も早く避難することが重要であるため、このようにして物品を取り出すことは時間のロスとなってしまい、迅速な避難行動の妨げになってしまうという問題点があった。
【０００７】
本考案は、上記問題点に鑑みてなされたものであり、収納部に収納した物品を着衣者本人によって容易に且つ迅速に取り出すことができる防災用衣類を提供することを目的とする。
【課題を解決するための手段】
【０００８】
上記課題を解決するための本考案に係る防災用衣類の特徴構成は、
着衣者の少なくとも上半身を覆う胴部と、
前記胴部の上方に形成され、前記着衣者の頭部が通される上方開口部と、
前記胴部の両側方に形成され、前記着衣者の両腕が通される側方開口部と、
前記胴部の表面に設けられた収納部と、
を備えた防災用衣類であって、
夫々の前記側方開口部から前記胴部の下端部にかけて、開閉可能な切れ込みが形成されていることにある。
【０００９】
本構成の防災用衣類は、着衣者の少なくとも上半身を覆う胴部からなる衣類であり、着衣者の両腕が通される側方開口部から胴部の下端部にかけて、開閉可能な切れ込みが形成されている。上記の切れ込みを両側とも開いた状態にすると、胴部の上方に形成されている着衣者の頭部が通される上方開口部を中心に、防災用衣類を左右両方向に回転することができる。そのため、胴部の表面に設けられた収納部の中に収納した物品を取り出したい場合、上記のように両側の切れ込みを開いた状態にして上方開口部を中心に防災用衣類を回転させ、収納部を着衣者の胸部（前側）に位置させることにより、収納部から物品を容易に取り出すことができるようになる。また、着衣者は収納部の中身を確認しながら目的の物品を確実に取り出すことができる。このように、本考案に係る防災用衣類であれば、避難している最中であっても、収納部に収容した物品を他人の手を借りずに着衣者本人によって容易に取り出すことができる。そのため、着衣者は防災用衣類を脱ぐ手間が省け、物品を取り出す行為が避難行動の妨げになることがなくなり、迅速に避難することができる。
【００１０】
本考案に係る防災用衣類において、
前記切れ込みにファスナーを設けてあることが好ましい。
【００１１】
本構成の防災用衣類は、左右にある側方開口部から胴部の下端部にかけて形成されている開閉可能な切れ込みにファスナーが設けてあるため、収納部から物品を取り出す際、素早く且つ容易にファスナーを開放することができ、着衣者の胸部付近まで当該収納部を回転移動させて目的の物品を取り出すことができる。
【００１２】
本考案に係る防災用衣類において、
前記収納部は、前記胴部のうち前記着衣者の背中側の表面に設けられ、前記収納部に物品を収納した場合、前記収納部は前記胴部の表面から外方に膨出するように構成されていることが好ましい。
【００１３】
本構成の防災用衣類は、胴部のうち着衣者の背中側の表面に設けられた収納部に物品を収納した場合、収納部は胴部の表面から外方に膨出するように構成されている。これにより、例えば、タオルのような嵩張る物品であっても収納することが可能であり、また、ある程度重い物品を収納したとしても、着衣者の背中側とは反対側に膨出するため、着衣者の背中が収納物の嵩によって圧迫されることが防止され、着衣者の身体に掛かる負担を低減することができるので、避難行動をより迅速に行うことが可能となる。
【００１４】
本考案に係る防災用衣類において、
前記収納部は、正面視で中央側の膨出量が大きくなるように構成されていることが好ましい。
【００１５】
本構成の防災用衣類は、背中側表面に設けられた収納部が、正面視で中央側の膨出量が大きくなるように構成されている。これにより、収納部に物品を収納したとき、物品の重さによって防災用衣類全体のバランスが崩れてしまわないように、重心の位置を一定に維持することが可能となる。そのため、ある程度重い物品を収納した場合であっても、着衣者は無理な姿勢を強いられることなく、安定して防災用衣類を身に着けることが可能となり、避難行動をより迅速に行うことが可能となる。
【００１６】
本考案に係る防災用衣類において、
前記収納部は、内部が複数の収納領域に分割されていることが好ましい。
【００１７】
本構成の防災用衣類は、上記の背中側表面に設けられた収納部の内部が複数の収納領域に分割されているため、物品を整理した状態で収納することができ、取り出し易くなる。
【００１８】
本考案に係る防災用衣類において、
前記収納部は、正面視で両側に開閉可能に構成されていることが好ましい。
【００１９】
本構成の防災用衣類は、上記の背中側表面に設けられた収納部が正面視で両側に開閉可能に構成されているため、容易に開閉することができ、また、収納部の内部の空間全体に物品を収納することができるため、より多くの物品を災害用に備えることが可能となる。
【図面の簡単な説明】
【００２０】
【図１】図１は、防災用衣類の全体概略構成図であり、（ａ）は防災用衣類の前方斜視図、（ｂ）は防災用衣類の後方斜視図である。
【図２】図２は、防災用衣類の裏面側の展開図である。
【図３】図３は、防災用衣類の背中側の表面に設けられた収納部に物品を収納した状態の概略図であり、（ａ）は防災用衣類の側面図、（ｂ）は防災用衣類の上方斜視図である。
【図４】図４は、着衣者が防災用衣類を着用した状態で、防災用衣類を回転させるときの説明図であり、（ａ）は防災用衣類を回転させる前の状態、（ｂ）は防災用衣類を回転させている途中の状態、（ｃ）は防災用衣類を回転した後の状態を夫々表している。
【図５】図５は、本考案に係る防災用衣類の別実施形態の概略構成図であり、（ａ）は切れ込み部を有する袖部を備えた防災用衣類の側面図であり、（ｂ）は取り外し可能な袖部を備えた防災用衣類の正面図である。
【考案を実施するための形態】
【００２１】
以下、本考案の防災用衣類に関する実施形態を図１〜図５に基づいて説明する。ただし、本考案は、以下に説明する実施形態や図面に記載される構成に限定されることを意図しない。
【００２２】
＜防災用衣類＞
図１は、防災用衣類１００の全体概略構成図であり、（ａ）は防災用衣類１００の前方斜視図、（ｂ）は防災用衣類１００の後方斜視図である。
【００２３】
図１（ａ）及び（ｂ）に示すように、防災用衣類１００は、着衣者の上半身を覆う胴部５０より構成されている。胴部５０は、着衣者の胸部を覆うようにしてなる前面部１０と、着衣者の背中を覆うようにしてなる背面部２０とを有する。前面部１０と背面部２０とは一体に構成されている。胴部５０の上方には、着衣者の頭部が通される上方開口部１が形成される。また、胴部５０の両側方の上方には、着衣者の腕が通される側方開口部２が左右夫々に形成される。
【００２４】
前面部１０は、図１（ａ）に示すように、右前面部１０ｂと左前面部１０ｃとに分離可能なように開閉することができる。右前面部１０ｂ及び左前面部１０ｃの連結部には、開閉可能となるように係止具が取り付けられる。係止具は、ファスナー、ボタン、スナップボタン、及びマジックテープ（登録商標）等が挙げられる。また、図１（ａ）に示すように、前面部１０の表面は、収納部３を複数備えることができる。収納部３のサイズは、全て同一のサイズにしてもよいし、夫々異なるサイズにしても構わない。また、収納部３の取り出し口は、ポケットのように係止具を取り付けないものであってもよいし、上記に列挙したような係止具のいずれかを取り付けても構わない。前面部１０の表面に収納部３を複数備えることにより、収納したい物品を種類ごとに分けて収納することが可能となる。
【００２５】
図１（ｂ）に示すように、背面部２０の表面は、本考案に係る防災用衣類１００において、最も容量が大きい収納部を備えており、これを背面部収納部４とする（背面部収納部４については、後に詳述する）。また、背面部収納部４の他に、前面部１０の表面に備えられているような収納部３を複数備えることができる。
【００２６】
本考案に係る防災用衣類１００は、左右の側方開口部２から胴部５０の胴部下端部５０ａにかけて直線状に切れ込み部５が設けられている。この切れ込み部５によって、前面部１０と背面部２０とが開閉可能となる。左右の切れ込み部５は、前面部１０及び背面部２０を開閉可能にするための係止具が取り付けられている。係止具としては、ファスナー、ボタン、スナップボタン、及びマジックテープ（登録商標）等が挙げられるが、ファスナーが好適である。ファスナーを採用すれば、前面部１０と背面部２０とを容易に且つ確実に、さらに迅速に連結し、また、前面部１０と背面部２０とを容易に且つ迅速に開いた状態にすることが可能である。切れ込み部５に取り付けられるファスナー６は、ファスナー６のスライダーを胴部下端部５０ａから側方開口部２の方へ動かすと、前面部１０と背面部２０とが閉じた状態（つまり、前面部１０と背面部２０とが連結した状態）となる。前面部１０と背面部２０とを開いた状態（つまり、前面部１０と背面部２０とが分離した状態）にしたい場合は、ファスナー６のスライダーを側方開口部２から胴部下端部５０ａの方へ動かせばよい。このような動作は、ファスナー６のスライダーを上方（側方開口部２）から下方（胴部下端部５０ａ）に動かすだけの簡単な動作であるから、防災用衣類１００を着衣した状態であっても、容易に且つ迅速に行うことができる。着衣者が防災用衣類１００の背面部収納部４や、背面部２０の表面に備えられている収納部３から物品を取り出したいときは、左右の切れ込み部５のファスナー６を開放して、前面部１０と背面部２０とを開いた状態にし、上方開口部１を中心として防災用衣類１００を左方向又は右方向に回転させる。例えば、後述するように、左右の切れ込み部５のファスナー６を開放して防災用衣類１００を１８０度回転させると、背面部２０が着衣者の胸部付近にまで移動する。この場合、着衣者は、背面部２０の表面に備えられている収納部３や背面部収納部４から、目的の物品を容易に且つ迅速に取り出すことができる。
【００２７】
図２は、本考案に係る防災用衣類１００の裏面側の展開図であり、前面部１０の裏面を前面部裏面１０ａ、背面部２０の裏面を背面部裏面２０ａとする。図２に示すように前面部裏面１０ａ及び背面部裏面２０ａには、防災用衣類１００の表面側に備えられている収納部３のような収納部を複数備えることができ、これによって、より多くの物品を収納することができる。
【００２８】
災害発生時はパニック状態で避難することが予想されるため、貴重品類を避難の途中で紛失等する可能性がある。そのため、防災用衣類１００の裏面側に裏面側収納部３ａを備えることは、安全に貴重品類を携行することができるため大変有効である。その際、着衣者が貴重品類を収納していることを意識し易くするために、前面部裏面１０ａに備えられた裏面側収納部３ａのうちのいずれかを、貴重品類用の収納部として利用するとよい。また、避難ルートや避難時の携行品等をチェックするための災害用チェックリストを予め収納しておけば、避難する際の手助けとなる。この災害チェックリストを収納する裏面側収納部３ａも、着衣者が用意していることを意識し易いように前面部裏面１０ａに備え、着衣者の目に止まり易いように、災害用チェックリストを収納する裏面側収納部３ａをメッシュ状あるいは透明ケースとして構成することも可能である。
【００２９】
＜背面部収納部＞
図１（ｂ）に示すように、背面部収納部４は、本考案に係る防災用衣類１００において、最も容量が大きい収納部である。図３は、防災用衣類１００の背面部２０の表面に設けられた背面部収納部４に物品を収納した状態の概略図であり、（ａ）は背面部収納部４の側面図、（ｂ）は背面部収納部４の上方斜視図であり、背面部収納部４の内部空間を斜線で示している。なお、図３（ａ）の点線は、着衣者の首及び腕を示している。
【００３０】
図３（ａ）に示すように、背面部収納部４は、内部に物品を収納すると、背面部２０の表面から外方に膨出するように構成されており、側方から見ると、背中部付近で膨れ上がることが分かる。また、図３（ｂ）に示すように、背面部収納部４は、中央側の膨出量が大きくなるように構成されている。このような構成により、背面部収納部４には、例えばタオルのような嵩張る物品や、ある程度重い物品を収納しても、着衣者の背中が圧迫されることを防止し、着衣者の身体に掛かる負担を低減することができる。また、中央側の膨出量が大きくなるように構成されていることから、防災用衣類１００の重心の位置が一定に維持されるため、着衣者は無理な姿勢を強いられることなく、安定して防災用衣類１００を着用することが可能となる。また、図３（ｂ）に示すように、背面部収納部４の内部にも収納部を設けている。図３（ｂ）は、一例として内部収納部８を点線で示している。内部収納部８は背面部収納部４の内部に複数設けることができる。このような構成にすれば、物品を整理した状態で収納でき、容易に物品を取り出すことができる。
【００３１】
また、図１（ｂ）及び図３（ｂ）に示すように、背面部収納部４の取り出し口は、左右両側に開閉可能となるように係止具を取り付ける。係止具は、ファスナー、ボタン、スナップボタン、及びマジックテープ（登録商標）等が挙げられるが、ファスナーが好適であり、左右に開閉し易くするために両開き用のファスナーを採用する。両開きファスナー７を背面部収納部４に取り付けることにより、着衣者が左右の切れ込み部５のファスナー６を開放し、上方開口部１を中心として防災用衣類１００を回転させて、背面部２０を着衣者の胸部付近にまで移動させ、背面部収納部４から目的の物品を取り出したい場合、左右のどちらに回転させても、また、着衣者の利き手が左右どちらであっても、背面部収納部４から容易に且つ迅速に目的の物品を取り出すことが可能となる。
【００３２】
＜防災用衣類の使用例＞
本考案に係る防災用衣類１００の使用について、図４に基づいて説明する。図４は、着衣者が防災用衣類１００を着用した状態で、防災用衣類１００を回転させるときの説明図である。図４（ａ）〜（ｃ）中に示す点線は、着衣者の首及び腕を示している。
【００３３】
まず、図４（ａ）に示すように、通常の防災用衣類１００の着用時は、前面部１０と背面部２０とが左右のファスナー６によって連結されており、着衣者の胸部は胴部５０の前面部１０に覆われた状態である。次に、着衣者が左右の切れ込み部５のファスナー６のスライダーを、側方開口部２から胴部下端部５０ａに移動させると、ファスナー６は開放され、前面部１０と背面部２０とは開いた状態となる。そして、図４（ｂ）に示すように、上方開口部１を中心として左右に回転させることができる。防災用衣類１００を１８０度回転させると、図４（ｃ）に示すように、着衣者の胸部は胴部５０の背面部２０に覆われた状態となる。このように、本考案に係る防災用衣類１００は、図４（ａ）〜（ｃ）に示された一連の回転移動により、背面部２０の表面に備えられた収納部３や背面部収納部４を、着衣者の胸部付近にまで移動させることができる。そのため、これらの中に収納した物品を取り出したい場合、着衣者本人によって容易に且つ迅速に取り出すことができる。その結果、一旦防災用衣類を脱いでから取り出すといった手間が省け、また、着衣者の代わりに他人に取り出してもらう必要がないため、避難行動の妨げにもならない。さらに、着衣者は、収納部３の中身を確認しながら目的の物品を確実に取り出すことができる。
【００３４】
〔別実施形態〕
（１）図５は、本考案に係る防災用衣類の別実施形態の概略構成図である。上記実施形態では、防災用衣類１００は袖が無いものであったが、袖を備える防災用衣類であっても構わない。図５（ａ）に示すように、別実施形態の防災用衣類２００は、袖部９の袖部付け根９ａが側方開口部２の周縁２ａに縫い付けられており、胴部下端部５０ａから、側方開口部２を経て、袖部９の袖部下端部９ｂにかけて切れ込み部１１を設けている。切れ込み部１１には係止具として、ファスナー、ボタン、スナップボタン、及びマジックテープ（登録商標）等が挙げられるが、ファスナーが好適である。ファスナーを採用すれば、前面部１０と背面部２０と袖部９とに設けられた切れ込み部１１を容易に且つ確実に、さらに迅速に開閉可能な状態にすることができる。また、切れ込み部１１の距離が長い場合は、ファスナーには両開き用のファスナー１２を用いても構わない。これにより、袖部の下端部９ｂ及び胴部下端部５０ａの両方向から開閉可能となり、より容易に且つ迅速に開閉状態にすることが可能となる。袖部９を備えることにより、寒い時期は防寒具の役割を果たすことができ、また、身体を保護することもできるため、より安全に避難することが可能となる。
【００３５】
また、本考案に係る防災用衣類は、図５（ｂ）に示すように、袖部９の袖部付け根９ａ及び側方開口部２の周縁２ａを分離可能とする防災用衣類３００を構成しても構わない。別実施形態の防災用衣類３００は、袖部付け根９ａと周縁２ａとを係止具によって連結されている。係止具は、ファスナー、ボタン、スナップボタン、及びマジックテープ（登録商標）等が挙げられる。防災用衣類３００の背面部２０の表面にある収納部３や背面部収納部４から物品を取り出す際は、袖部付け根９ａを側方開口部２の周縁２ａから取り外し、上記実施形態の中で説明したように、切れ込み部５を開いた状態にすれば、防災用衣類３００は左右に回転させることが可能となるため、背面部２０に備えられた収納部３や背面部収納部４から目的の物品を取り出すことができる。また、袖部９が不要な場合は、予め袖部９を取り外しておき、別の場所に保管しておくか、防災用衣類３００の収納部３や背面部収納部４に収納しておくこともできる。
【００３６】
（２）上記実施形態の防災用衣類１００は、図１に示したように、襟のない防災用衣類１００であるが、襟付きのものであっても構わない。襟は、防災用衣類１００の胴部５０における上方開口部１の縁に沿うように取り付けることができる。襟付きの防災用衣類１００であれば、暑い時期は顔や首回りの日除けの役割をし、寒い時期はマフラーの代用とすることが可能である。また、当該襟を取り外し可能なように構成することもでき、その場合は襟と上方開口部１の周縁部とを係止具で取り付ければよい。係止具は、ファスナー、ボタン、スナップボタン、及びマジックテープ（登録商標）等が挙げられる。襟を取り外し可能なように構成すれば、取り外した襟をタオルの代用とすることが可能である。不要な場合は取り外し、防災用衣類１００の収納部３に収納しておくことも可能である。
【００３７】
また、防災用衣類１００は、頭巾を備えるものであっても構わない。頭巾は、背面部２０に形成される上方開口部１の縁に沿って備えることができる。頭巾を備えることによって、避難時に着衣者の頭部を保護することができるため、より安全に避難行動をすることができる。また、暑い時期は日射病の予防のための帽子として利用することができ、寒い時期は防寒具の役割を果たす。頭巾は、上記別実施形態の襟付きの防災用衣類１００と同様に、取り外し可能なように構成することができ、襟と上方開口部１の周縁部とを係止具で取り付ければよい。係止具は、ファスナー、ボタン、スナップボタン、及びマジックテープ（登録商標）等が挙げられる。頭巾を取り外し可能なように構成すれば、不要な場合は取り外し、防災用衣類１００の収納部３に収納しておくことが可能である。
【００３８】
（３）上記実施形態の防災用衣類１００では、図１に示したように、側方開口部２から胴部５０の胴部下端部５０ａに設けた切れ込み部５は、直線状のものであったが、切れ込み部５は、前面部１０と背面部２０とが開閉状態となるようにファスナー等の係止具が取り付けられればよいので、波線等の形状を描くものであっても構わない。防災用衣類は実用的且つ非常用の衣類であり、デザイン面が重視されることはあまりない。このため、とくに若年層は購入を控えてしまう傾向にあるが、上記のような形状を採用することによりデザイン性が向上するため、若年層が身に着け易くなり、購入に繋がると考えられる。その結果、人々の防災に対する意識を高めることが可能となる。
【産業上の利用可能性】
【００３９】
本考案の防災用衣類は、家庭、会社、学校、及び各種公的機関等に常備しておき、災害発生時に避難する際に使用することができる。
【符号の説明】
【００４０】
１      上方開口部
２      側方開口部
３      収納部
４      背面部収納部
５      切れ込み部
６      ファスナー
７      両開きファスナー
１０    前面部
２０    背面部
５０    胴部
５０ａ  胴部下端部
１００  防災用衣類
【図１】
0003184842.tif 000003
【図２】
0003184842.tif 000004
【図３】
0003184842.tif 000005
【図４】
0003184842.tif 000006
【図５】
0003184842.tif 000007